(57)【要約】【課題】  １つの操作部材の操作でより多くの状態の選択を行えるようにした電子機器を提供すること。【解決手段】  異なる２機能の操作に共通に用いられる操作部材１と、操作部材１が所定時間継続して操作された場合は２機能のうち一方の機能（第１機能）については操作部材１の操作前の状態を保持したまま他方の機能（第２機能）の状態を操作部材１の操作前と異なる状態に切り替え、操作部材１の操作時間が所定時間より短い場合は一方の機能（第１機能）の状態を操作部材１の操作前と異なる状態に切り替えると共に、他方の機能（第２機能）については操作部材の操作前の状態が所定の状態（「切」）であった場合のみ「入」に切り替える制御部１５と、を備える。【選択図】        図１
2006197162.tif 000002
【特許請求の範囲】
【請求項１】
少なくとも２つの異なる機能を有する電子機器であって、
前記２機能の操作に共通に用いられる操作部材と、
前記操作部材が所定時間継続して操作された場合は前記２機能のうち一方の機能については前記操作部材の操作前の状態を保持したまま他方の機能の状態を前記操作部材の操作前と異なる状態に切り替え、前記操作部材の操作時間が前記所定時間より短い場合は前記他方の機能については前記操作部材の操作前の状態を保持したまま前記一方の機能の状態を前記操作部材の操作前と異なる状態に切り替える制御部と、
を備えることを特徴とする電子機器。
【請求項２】
少なくとも２つの異なる機能を有する電子機器であって、
前記２機能の操作に共通に用いられる操作部材と、
前記操作部材が所定時間継続して操作された場合は前記２機能のうち一方の機能については前記操作部材の操作前の状態を保持したまま他方の機能の状態を前記操作部材の操作前と異なる状態に切り替え、前記操作部材の操作時間が前記所定時間より短い場合は前記一方の機能の状態を前記操作部材の操作前と異なる状態に切り替えると共に、前記他方の機能については前記操作部材の操作前の状態が所定の状態であった場合のみ前記所定の状態と異なる状態に切り替える制御部と、
を備えることを特徴とする電子機器。
【発明の詳細な説明】
【技術分野】
【０００１】
本発明は、１つの操作部材が所定時間継続して操作されたか、それより短かったかに応じて、異なる２機能それぞれの状態（例えばオン／オフ）の切り替えを行えるようにした電子機器に関する。
【背景技術】
【０００２】
近年、デジタルスチルカメラやビデオカメラなどの電子機器は多機能化される傾向にあるが、一方で機器本体の小型化が進み、操作部材の数をあまり増やすことはできない。そこで、より少ない操作部材でより多くの機能の操作を行えることが要求されている。
【０００３】
例えば特許文献１には、操作部材が所定時間継続して操作された場合にカメラの動作状態を第１モード及び第２モード間で切り替える切替制御手段を有するカメラが開示され、１つの操作部材でその操作時間によって２つの機能の切り替えを可能としている。具体的には、操作部材が所定時間継続して押された場合に、カメラの動作状態を、通常の撮影モードと、複数の設定項目からなる機能設定モードとの間で切り替えるようにしている。
【特許文献１】実開平６−５９８４６号公報
【発明の開示】
【発明が解決しようとする課題】
【０００４】
上記特許文献１では操作部材が所定時間継続して操作された場合に、異なる２機能のうち一方の機能から他方の機能へ、または他方の機能から一方の機能へと切り替えるという異なる２機能間の切り替えを実現しているにすぎず、各機能ごとの状態（例えばオン／オフ）を切り替える役割を操作部材には持たせていない。したがって、特許文献１の操作部材では、第１機能及び第２機能共がオンの状態、第１機能がオンで第２機能がオフの状態、第１機能がオフで第２機能がオンの状態、第１機能及び第２機能共がオフの状態という４状態間の切り替えを行うことができない。これを実現しようとすると第１機能の状態切り替え用の操作部材と、第２機能の状態切り替え用の操作部材との２つの操作部材が必要になってしまい電子機器の小型化の妨げになる。
【０００５】
本発明は上述の問題に鑑みてなされ、その目的とするところは、１つの操作部材の操作でより多くの状態の選択を行えるようにした電子機器を提供することにある。
【課題を解決するための手段】
【０００６】
本発明は前記課題を解決するため以下の構成を採用した。
すなわち、本発明の電子機器は、少なくとも２つの異なる機能を有する電子機器であって、それら２機能の操作に共通に用いられる操作部材と、操作部材が所定時間継続して操作された場合は２機能のうち一方の機能については操作部材の操作前の状態を保持したまま他方の機能の状態を操作部材の操作前と異なる状態に切り替え、操作部材の操作時間が所定時間より短い場合は他方の機能については操作部材の操作前の状態を保持したまま一方の機能の状態を操作部材の操作前と異なる状態に切り替える制御部と、を備える。
【０００７】
上記制御部は、操作部材の操作時間に応じて、異なる２機能のうち一方の機能の状態は切り替えずに、他方の機能の状態だけを切り替えるので、例えば第１機能がオン状態で第２機能もオン状態、第１機能がオン状態で第２機能はオフ状態、第１機能はオフ状態で第２機能はオン状態、第１機能はオフ状態で第２機能もオフ状態という４つの異なる状態の切り替えを１つの操作部材だけで実現できる。これにより、電子機器が多機能化しても操作部材の数はそれほど増やさなくて済む。
【０００８】
また、本発明の電子機器は、少なくとも２つの異なる機能を有する電子機器であって、それら２機能の操作に共通に用いられる操作部材と、操作部材が所定時間継続して操作された場合は２機能のうち一方の機能については操作部材の操作前の状態を保持したまま他方の機能の状態を操作部材の操作前と異なる状態に切り替え、操作部材の操作時間が所定時間より短い場合は一方の機能の状態を操作部材の操作前と異なる状態に切り替えると共に、他方の機能については操作部材の操作前の状態が所定の状態であった場合のみその所定の状態と異なる状態に切り替える制御部と、を備える。
【０００９】
上記制御部は、操作部材の操作時間に応じて、異なる２機能のうち一方の機能の状態は切り替えずに、他方の機能の状態を切り替えるので、例えば第１機能がオン状態で第２機能もオン状態、第１機能がオン状態で第２機能はオフ状態、第１機能はオフ状態で第２機能はオン状態、第１機能はオフ状態で第２機能もオフ状態という４つの異なる状態の切り替えを１つの操作部材だけで実現できる。これにより、電子機器が多機能化しても操作部材の数はそれほど増やさなくて済む。さらに、操作部材の操作時間が所定時間より短い場合については一方の機能の状態を操作部材の操作前と異なる状態に切り替えると共に、他方の機能については操作部材の操作前の状態が所定の状態であった場合のみその所定の状態と異なる状態に切り替えることができるようにもしているので、例えばある状態Ａから別の状態Ｃにするのに誤って操作部材を長押ししてさらに別の状態Ｂにしてしまった場合に、その状態Ｂで操作部材を短押しすることで、状態Ｂから途中状態Ａを経ずに直接状態Ｃに切り替えることができる。
【発明の効果】
【００１０】
本発明の電子機器は、異なる２機能の操作に共通に用いられる操作部材と、操作部材が所定時間継続して操作された場合は２機能のうち一方の機能については操作部材の操作前の状態を保持したまま他方の機能の状態を操作部材の操作前と異なる状態に切り替え、操作部材の操作時間が所定時間より短い場合は他方の機能については操作部材の操作前の状態を保持したまま一方の機能の状態を操作部材の操作前と異なる状態に切り替える制御部とを備えるので、より多くの状態の切り替えを１つの操作部材だけで実現できる。これにより、電子機器の多機能化と、操作部材の個数抑制による小型化との両立を図れる。さらに、操作部材の個数抑制は操作部材の配置レイアウトの自由度を高め、使用者にとって操作しやすい位置に配置できるため使用感や利便性の向上が図れる。
【００１１】
また、本発明の電子機器によれば、操作部材の操作時間が所定時間より短い場合については一方の機能の状態を操作部材の操作前と異なる状態に切り替えると共に、他方の機能については操作部材の操作前の状態が所定の状態であった場合のみその所定の状態と異なる状態に切り替えることができるようにもしているので、ある状態から誤って操作部材を長押ししてしまった場合に、再度操作部材を長押しして１つ前の状態に戻さなくても、その１つ前の状態で短押しすることで得られる状態へと直接切り替えることができ、使用者の利便性をよくする。
【発明を実施するための最良の形態】
【００１２】
以下、本発明を適用した具体的な実施形態について、図面を参照しながら詳細に説明する。なお、本発明は以下の実施形態に限定されるものではなく、本発明の技術的思想に基づいて種々の変形が可能である。
【００１３】
図５は本発明の実施形態に係る電子機器１０を示す。電子機器１０は、例えばレンズ２と、撮影した画像を表示する液晶パネル４を有するビデオカメラである。電子機器１０には各種操作部材が設けられているが、そのうち操作部材１は第１機能と第２機能の操作に共通に用いられる。第１機能は、図１において状態Ａ及び状態Ｂに示すように、液晶パネル４の画面上にバッテリの残量や撮影時間、その他各種情報等のオンスクリーンディスプレイ情報Ｏを表示させるオンスクリーンディスプレイ機能である。第２機能は、液晶パネル４の光源であるバックライト機能である。
【００１４】
操作部材１が所定時間（例えば１.５秒間）継続して押された場合は、バックライトが点灯または消灯される。操作部材１の押し時間が上記所定時間より短い場合は、オンスクリーンディスプレイ情報Ｏがオン／オフされ、さらに、バックライトが消灯していた場合には点灯される。
【００１５】
また、電子機器は、図３に示すように、各種回路や制御部を備えている。
【００１６】
レンズ２によって結像された光学像はＣＣＤ（Charge Coupled Device）型もしくはＭＯＳ（Metal Oxide Semiconductor）型などの撮像素子１１によって電気信号に変換され、カメラ信号処理回路１２、記録回路１３を介して記録媒体に記録される。撮像素子１１、カメラ信号処理回路１２、記録回路１３等の動作は、マイクロプロセッサ等の制御部１５によって制御される。
【００１７】
また、制御部１５は操作部材入力回路５からの入力電圧をＡＤ変換し、その変換値（デジタル値）から現在どの操作部材が押されているかを判断する。操作部材入力回路５の具体例を図４に示す。
【００１８】
制御部１５の入力端子には６個の抵抗Ｒ２〜Ｒ７が直列接続されている。また制御部１５の入力端子と抵抗Ｒ２との間には抵抗Ｒ１の一端が接続され、その抵抗Ｒ１の他端は例えば２.８Ｖの電源に接続されている。抵抗Ｒ１と抵抗Ｒ２との接続点とグランドとの間にスイッチＳＷ１が接続されている。抵抗Ｒ２と抵抗Ｒ３との接続点とグランドとの間にスイッチＳＷ２が、抵抗Ｒ３と抵抗Ｒ４との接続点とグランドとの間にスイッチＳＷ３が、抵抗Ｒ４と抵抗Ｒ５との接続点とグランドとの間にスイッチＳＷ４が、抵抗Ｒ５と抵抗Ｒ６との接続点とグランドとの間にスイッチＳＷ５が、抵抗Ｒ６と抵抗Ｒ７との接続点とグランドとの間にスイッチＳＷ６が、抵抗Ｒ７とグランドとの間にスイッチＳＷ７が、それぞれ接続されている。各抵抗Ｒ１〜Ｒ７の抵抗値は、例えば、それぞれ、１０ｋΩ、１０００Ω、２０００Ω、３０００Ω、４０００Ω、５０００Ω、３０ｋΩである。また、制御部１５の動作電圧は例えば３.０Ｖである。
【００１９】
各スイッチＳＷ１〜ＳＷ７は電子機器１０に設けられた各種操作部材に対応付けられ、何れかの操作部材が操作されるとそれに対応するスイッチがオンされる。どのスイッチがオンされるかで制御部１５には異なる電圧が入力され、制御部１５はその入力電圧のＡＤ変換値（デジタル値）を解析することによって、どの操作部材が押されたかを判断する。
【００２０】
また、制御部１５は入力されるＡＤ変換値をある周期で監視していて、所定時間（例えば１.５秒間）同じＡＤ変換値が入力されていた場合はそのＡＤ変換値に対応する操作部材がいわゆる長押しとされたと判断する。周期毎に監視するＡＤ変換値の入力から制御部１５が操作部材の入力を認識したが、同じＡＤ変換値の入力の継続が上記所定時間（１.５秒間）より短かった場合はそのＡＤ変換値に対応する操作部材がいわゆる短押しされたと判断する。
【００２１】
ここで、操作部材１が操作されると制御部１５はその操作が上述した長押しか短押しかを判断し、その結果に応じてオンスクリーンディスプレイ回路１７やバックライト駆動回路１９に対しコマンドを発行する。
【００２２】
オンスクリーンディスプレイ回路１７は、制御部１５から送られてきたコマンドを解釈すると共に、制御部１５から送られてきたビットマップデータ（イメージデータ）をＶＲＡＭ（Video RAM）上に展開して表示信号を作成し、その表示信号を、走査される単位ごとに重畳回路１８へ送る。
【００２３】
重畳回路１８は、カメラ信号処理回路１２からの映像信号と、オンスクリーンディスプレイ回路１７からの表示信号とを重畳し、液晶パネル４、ビューファインダー、LINEOUT端子などに出力する。
【００２４】
液晶パネル４は重畳回路１８から送られてきた信号を受け、撮像した映像やオンスクリーンディスプレイ情報Ｏを表示する。なお、液晶パネル４はタッチパネルであり、タッチパネル操作の入力信号は制御部１５に入力される。
【００２５】
バックライト駆動回路１９は、制御部１５から送られてきたコマンドを解釈し、バックライトの点灯や消灯を行う。
【００２６】
制御部１５や他の回路はバッテリ１４またはＡＣ（交流）電源を電源とする電源回路１６によって動作される。また、制御部１５からの制御信号によりスイッチＳＷがオン／オフされ他回路への電源供給が制御される。
【００２７】
次に、操作部材１が操作された場合の電子機器１０の動作について図１及び図２を参照して説明する。
【００２８】
図２のステップＳ１における「開始」を例えば電子機器１０の電源投入時とすると、その電源投入により第１機能及び第２機能は図１の状態Ａのように共に「入」となる。すなわち、バックライトは点灯され、オンスクリーンディスプレイ情報Ｏも液晶パネル４に表示された状態となる。
【００２９】
その状態Ａから操作部材１が押されるとステップＳ２にて”Ｙｅｓ”となりステップＳ３に進む。操作部材１が押されずステップＳ２にて”Ｎｏ”となるとステップＳ３〜ステップＳ１１の処理は行われずに図２のフローは終了する（ステップＳ１２）。
【００３０】
ステップＳ３では、操作部材１が所定時間継続して押されたかどうかが上記制御部１５にて判断され、所定時間継続して押された場合（いわゆる長押しの場合）はステップＳ５に進み、押された時間が所定時間継続せずそれより短かった場合（いわゆる短押しの場合）はステップＳ４に進む。
【００３１】
ステップＳ１の「開始」のときが状態Ａの場合に、操作部材１が所定時間継続して押されると（長押しされると）、ステップＳ３及びステップＳ５で”Ｙｅｓ”となりステップＳ７に進んで第２機能が「入」から「切」に切り替わってフローは終了する（ステップＳ１２）。すなわち、図１に示すようにバックライトが消灯された状態Ｂになる。このとき、操作部材１の長押しでは第１機能はオン／オフされず、すなわち「入」のままでありオンスクリーンディスプレイ情報Ｏは液晶パネル４に表示されたままである。バックライトが消灯しても、外光や室内の電灯光を液晶パネル内で反射させて、その反射光を液晶パネル、カラーフィルタを通して見える。
【００３２】
ステップＳ１の「開始」のときが状態Ｂの場合に、操作部材１が所定時間継続して押されると（長押しされると）、ステップＳ３で”Ｙｅｓ”に、ステップＳ５で”Ｎｏ”となりステップＳ６に進んで第２機能が「切」から「入」に切り替わってフローは終了する（ステップＳ１２）。すなわち、図１に示すようにバックライトが点灯された状態Ａになる。このとき、操作部材１の長押しでは第１機能はオン／オフされず、すなわち「入」のままでありオンスクリーンディスプレイ情報Ｏは液晶パネル４に表示されたままである。
【００３３】
ステップＳ１の「開始」のときが状態Ｃの場合に、操作部材１が所定時間継続して押されると（長押しされると）、ステップＳ３及びステップＳ５で”Ｙｅｓ”となりステップＳ７に進んで第２機能が「入」から「切」に切り替わってフローは終了する（ステップＳ１２）。すなわち、図１に示すようにバックライトが消灯された状態Ｄになる。このとき、操作部材１の長押しでは第１機能はオン／オフされず、すなわち「切」のままでありオンスクリーンディスプレイ情報Ｏは非表示のままである。
【００３４】
ステップＳ１の「開始」のときが状態Ｄの場合に、操作部材１が所定時間継続して押されると（長押しされると）、ステップＳ３で”Ｙｅｓ”に、ステップＳ５で”Ｎｏ”となりステップＳ６に進んで第２機能が「切」から「入」に切り替わってフローは終了する（ステップＳ１２）。すなわち、図１に示すようにバックライトが点灯された状態Ｃになる。このとき、操作部材１の長押しでは第１機能はオン／オフされず、すなわち「切」のままでありオンスクリーンディスプレイ情報Ｏは非表示のままである。
【００３５】
ステップＳ１の「開始」のときが状態Ａで、操作部材１が押された時間が所定時間より短かった場合（短押しの場合）には、ステップＳ３で”Ｎｏ”、ステップＳ４で”Ｙｅｓ”となりステップＳ９に進んで第１機能が「入」から「切」に切り替わる。すなわち、図１に示すようにオンスクリーンディスプレイ表示Ｏが非表示の状態Ｃになる。第２機能については状態Ａでは「入」であるので次のステップＳ１０で”Ｎｏ”となりフローは終了する（ステップＳ１２）。すなわち、第２機能はオン／オフされず「入」のままでありバックライトは点灯されたままである。
【００３６】
ステップＳ１の「開始」のときが状態Ｃで、操作部材１が押された時間が所定時間より短かった場合（短押しの場合）には、ステップＳ３及びステップＳ４で”Ｎｏ”となりステップＳ８に進んで第１機能が「切」から「入」に切り替わる。すなわち、図１に示すようにオンスクリーンディスプレイ表示Ｏが液晶パネル４に表示された状態Ａになる。第２機能については状態Ｃでは「入」であるので次のステップＳ１０で”Ｎｏ”となりフローは終了する（ステップＳ１２）。すなわち、第２機能はオン／オフされず「入」のままでありバックライトは点灯されたままである。
【００３７】
以上述べたように、操作部材１の長押しでは、第１機能はオン／オフさせずに（第１機能の「入」または「切」状態は保持したまま）、第２機能のみをオン／オフさせる（「入」から「切」へ、または「切」から「入」に切り替える）。また、操作部材１の短押しでは、第２機能はオン／オフさせずに（本実施形態では第２機能が「入」であった場合のみその「入」状態を保持させる）、第１機能をオン／オフさせる（「入」から「切」へ、または「切」から「入」に切り替える）。
【００３８】
したがって、１つの操作部材１で、状態Ａ（第１機能及び第２機能とも「入」）、状態Ｂ（第１機能は「入」、第２機能は「切」）、状態Ｃ（第１機能は「切」、第２機能は「入」）、状態Ｄ（第１機能及び第２機能とも「切」）の４つの状態の切り替えを行える。従来はそのような４つの状態を切り替えるには第１機能のオン／オフを行う操作部材と、第２機能のオン／オフを行う操作部材の２つの操作部材が必要であった。また、上記特許文献１では操作部材が所定時間継続して操作された場合に第１機能から第２機能へまたは第２機能から第１機能へと切り替えるという異なる２機能間の切り替えを実現しているにすぎず、各機能ごとの状態（例えばオン／オフ）を切り替える役割を操作部材には持たせていない。したがって、特許文献１の操作部材では、第１機能及び第２機能共がオンの状態、第１機能がオンで第２機能がオフの状態、第１機能がオフで第２機能がオンの状態、第１機能及び第２機能共がオフの状態という４状態間の切り替えを行うことができない。
【００３９】
これに対して本実施形態では、操作部材１の操作時間に応じて、異なる２機能のうち一方の機能の状態は切り替えずに（オン／オフさせずに）、他方の機能の状態だけを切り替える（オン／オフさせる）ことができるので、上述した４つの状態の切り替えを１つの操作部材１で実現できる。これにより、電子機器１０の操作部材を少なくできる。このことで、電子機器１０の小型化を図れる。さらに、操作部材の数の減少は操作部材の配置レイアウトの自由度を高め、使用者にとって操作しやすい位置に配置できるため使用感や利便性の向上が図れる。また、本実施形態のような操作部材１は１つに限らず２つ以上設けてもよく、電子機器１０が多機能化しても操作部材をあまり増やさなくて済む。
【００４０】
なお、図１において状態Ａから状態Ｃにしたい場合には操作部材１を短押しする必要があるが、使用者が誤って操作部材１を長押ししてしまった場合には状態Ｂに切り替わってしまう。この状態Ｂから、本来切り替えるべきであった状態Ｃにするには操作部材１を長押しして状態Ａに戻した後、操作部材１を短押しすれば状態Ｃにすることができる。しかし、この場合には、状態Ｂから状態Ｃにするのに途中状態Ａを経由しなければならず、状態Ｂから状態Ａに一旦戻すための操作が余計に必要となる。
【００４１】
そこで、本実施形態では状態Ｂで操作部材１を短押しすることで状態Ｃに切り替えることができるようにしている。また、同様に状態Ｃから状態Ａにするのに誤って操作部材１を長押しして状態Ｄにしてしまった場合に、その状態Ｄで操作部材１を短押しすることで、状態Ｄから途中状態Ｃを経ずに直接状態Ａに切り替えることがきるようにしている。
【００４２】
以上の動作を図２のフローチャートも参照して説明すると、ステップＳ１の「開始」のとき状態Ｂであった場合に操作部材１が短押しされると（ステップＳ２〜ステップＳ３）、第１機能は上述したようにそのオン／オフが切り替わる。すなわちステップＳ４及びステップＳ９により「入」から「切」に切り替わる。そして、さらにステップＳ１０にて第２機能が「切」か否かの判断が上記制御部１５にてされる。状態Ｂは第２機能が「切」であるので、ステップＳ１０にて”Ｙｅｓ”となりステップＳ１１に進み第２機能は「入」に切り替わり、すなわち状態Ｃに切り替わってフローは終了する（ステップＳ１２）。
【００４３】
ステップＳ１の「開始」のとき状態Ｄであった場合に操作部材１が短押しされると（ステップＳ２〜ステップＳ３）、第１機能は上述したようにそのオン／オフが切り替わる。すなわちステップＳ４及びステップＳ８により「切」から「入」に切り替わる。そして、さらにステップＳ１０にて第２機能が「切」か否かの判断が上記制御部１５にてされる。状態Ｄは第２機能が「切」であるので、ステップＳ１０にて”Ｙｅｓ”となりステップＳ１１に進み第２機能は「入」に切り替わり、すなわち状態Ａに切り替わってフローは終了する（ステップＳ１２）。
【００４４】
以上のように、状態Ａから状態Ｃへの切り替えを試みた際に誤って操作部材１を長押しして状態Ｂにしてしまっても、その状態Ｂで操作部材１を短押しすればこの１回の操作だけで状態Ｂから状態Ｃへと切り替えることができる。同様に、状態Ｃから状態Ａへの切り替えを試みた際に誤って操作部材１を長押しして状態Ｄにしてしまっても、その状態Ｄで操作部材１を短押しすればこの１回の操作だけで状態Ｄから状態Ａへと切り替えることができる。
【００４５】
上記実施形態では、状態Ａまたは状態Ｃで操作部材１が短押しされた場合に状態Ｃまたは状態Ａに切り替わり、状態Ｂまたは状態Ｄで操作部材１が短押しされた場合に状態Ｃまたは状態Ａに切り替わるようにしたが、状態Ｂまたは状態Ｄで操作部材１が短押しされた場合に状態Ｄまたは状態Ｂに切り替わり、状態Ａまたは状態Ｃで操作部材１が短押しされた場合に状態Ｄまたは状態Ｂに切り替わるようにしてもよい。
【００４６】
また、上記実施形態とは逆に、操作部材１の長押しで第１機能のオン／オフを、短押しで第２機能のオン／オフを行うようにしてもよい。また、第１機能をバックライト機能に、第２機能をオンスクリーンディスプレイ表示機能に割り当ててもよい。
【００４７】
さらには、第１機能、第２機能としてはバックライト機能やオンスクリーンディスプレイ表示機能に限らない。例えば、以下に例示する機能を割り当ててもよい。
【００４８】
ゼブラ機能：画面の中で輝度が一定レベルを越える部分は白とびが生じることがあり、この部分にしま模様（ゼブラパターン）を表示する機能。明るさを調整するときに目安として使用。
ホワイトバランス機能：撮影する場面の光にあわせてホワイトバランスを固定するときに使用。
アイリスの調整機能：レンズに入る光量を手動で調整。
ＮＤフィルター機能：光の量を調整する機能。
カメラ明るさ機能：カメラの明るさを調整する機能。
【００４９】
上記ゼブラ機能を第１機能及び第２機能の何れか一方に、各種カメラ調整機能のうち何れかの機能を他方にすることで設定と確認とを１つの操作部材で行える。
【００５０】
また、本発明で操作部材の操作とはボタン状の操作部材を電子機器内方に向けて押し込む操作に限らず、レバー状の操作部材を傾動させる操作であってもよい。
【００５１】
また、本発明はビデオカメラに限らず、例えば、デジタルスチルカメラ、映像機器、オーディオ機器、携帯機器等、少なくとも異なる２機能と操作部材を有するすべての電子機器に適用できる。
【図面の簡単な説明】
【００５２】
【図１】本発明の実施形態に係る電子機器において１つの操作部材の操作により切り替えられる４つの状態と、操作部材の操作との関係を示す模式図である。
【図２】本発明の実施形態において操作部材の操作による機能切替のフローチャートである。
【図３】本発明の実施形態に係る電子機器の構成を示すブロック図である。
【図４】本発明の実施形態に係る電子機器において各種操作部材の入力回路図である。
【図５】本発明の実施形態に係る電子機器の概略外観図である。
【符号の説明】
【００５３】
１…操作部材、２…レンズ、４…液晶パネル、１０…電子機器、１１…撮像素子、１５…制御部。
【図１】
2006197162.tif 000003
【図２】
2006197162.tif 000004
【図３】
2006197162.tif 000005
【図４】
2006197162.tif 000006
【図５】
2006197162.tif 000007